【手続補正書】
【提出日】平成20年9月10日(2008.9.10)
【手続補正１】
【補正対象書類名】特許請求の範囲
【補正対象項目名】全文
【補正方法】変更
【補正の内容】
【特許請求の範囲】
【請求項１】
内燃機関であって、
回転子（１６）を含む機関容器（１０）と、
前記回転子によって担持される複数のローブ（３２）であって、各ローブは、前記容器の輪郭形成される壁との密閉接触を維持するために、スロット（３５）から前記回転子の円筒状表面内に延長可能であり、前記輪郭は、前記回転子と容器壁との間の第１の正接点から発散する第１の部分（６８）および第１の最大発散部から前記回転子と容器との間の第２の正接点へ収縮する第２の部分（７０）を有し、且つ前記第２の正接点から第２の最大発散部へ発散する第３の部分（７２）および前記第１の正接点へ収束する第４の部分（７４）を有し、前記第１および第２の部分は、第１の容積を画定し、前記第３および第４の部分は、前記第１の容積に対して非対称である第２の容積を画定する、複数のローブ（３２）と、
前記第１の正接点および前記輪郭の第１の部分に近接する燃焼空気入口（８０）と、
前記輪郭の前記第４の部分および前記第１の正接点に近接する排気出口（８２）と、
前記ローブを延長し且つ引き込むための手段と、
各２つの隣接するローブ間に担持される前記燃焼空気の燃焼を開始するために、前記第２の正接点を近接する手段とを備える内燃機関。
【請求項２】
それぞれ前記複数のローブの１つを担持する複数の旋回腕（４４）をさらに備え、各旋回腕は、前記回転子内に搭載され、前記ローブから遠位の回転ピン（４８）を組み込み、且つ前記回転子の外周に近接し且つ隣接するローブのための前記スロットに近接する前記回転子によって回転を制限される請求項１に記載の機関。
【請求項３】
前記延長し且つ引き込むための手段は、軸受け（５６、５８）を備え、軸受け（５６、５８）は、各旋回腕によって支持され、且つ前記ローブの延長および引き込みの強制開閉式の作動のためのレース（６２）内に受けられるように前記回転子から延長する請求項２に記載の機関。
【請求項４】
前記レースは、前記機関の頂部板内の第１のレースおよび前記機関の底部板内の第２のレースを備え、前記軸受けは、各レースの内側ステップ（６４）と接触するために各前記第１および第２のレースの１つに受けられるように、前記旋回腕を通して延長する軸の各端部の１つに搭載される第１の対の延長軸受け（５６）と、各レースの外壁と接触するために各前記第１および第２のレースの１つに受けられるように、前記第１の対の内向きの軸上に搭載される第２の対の引き込み軸受け（５８）とを備える請求項３に記載の機関。
【請求項５】
前記回転子を前記頂部板および底部板に密閉するための手段をさらに備える請求項１に記載の機関。
【請求項６】
前記回転子を有する前記延長可能に軸支されたローブ、機関容器、頂部板、および底部板を密閉するための手段をさらに備える請求項１に記載の機関。
【請求項７】
前記密閉手段は、
前記ローブのための前記回転子中間隣接スロットの上部表面内の第１の溝から延長し、且つ各スロットの後続壁内の第２の溝に隣接する、複数の第１のＬ形状のシール（１１０、１１１）と、
前記ローブのための前記回転子中間隣接スロットの下部表面内の第３の溝から延長し、且つ各スロットの先行壁内の第４の溝に隣接する、複数の第２のＬ形状のシール（１１２、１１３）とを備える請求項５に記載の機関。
【請求項８】
前記密閉手段は、
前記ローブのための前記回転子中間隣接スロットの上部表面内の第１の溝から延長し、且つ各スロットの後続壁内の第２の溝に隣接する、複数の第１のＬ形状のシールと、
前記ローブのための前記回転子中間隣接スロットの下部表面内の第３の溝から延長し、且つ各スロットの先行壁内の第４の溝に隣接する、複数の第２のＬ形状のシールであって、それによって、そのようなＬ形状シールは、前記回転子の前記主本体に対する延長および引き込みにおいて各ローブの先行および後続表面を密閉するように機能する、複数の第２のＬ形状のシールと、
前記ローブの境界面を前記機関容器に対して密閉するばね負荷されたローブ先端シール（１０２）と、
前記ローブと前記頂部板および底部板との間にシールを維持するためにばね負荷され、且つ前記ローブ先端シールを収容するために溝形成される、前記ローブに対して断面において一致する厚みおよび湾曲の一対のローブ側方シール（８４）とを備える請求項６に記載の機関。
【請求項９】
前記機関容器壁の前記輪郭は、排気サイクルと吸気サイクルとの間の容積測定分離器を作るために、前記第１の正接点に近接する前記回転子と実質的に同心であり且つ前記回転子に直接隣接する部分を含む請求項１に記載の機関。
【請求項１０】
前記機関容器壁の前記輪郭は、完全に燃焼を開始するように最小の圧縮容積を形成し且つ最大圧縮時間の時間を延長するために、前記第２の正接点に近接する前記回転子と実質的に同心であり且つ前記回転子に直接隣接する部分を含む請求項１に記載の機関。
【請求項１１】
前記第１の容積は、高い垂直距離の機関動作のために前記第２の容積を超える請求項１に記載の機関。
【請求項１２】
前記第２の容積は、増大された熱効率のために前記第１の容積を超える請求項１に記載の機関。
【請求項１３】
前記第２の容積は、実質的に完全な燃焼空気膨張および低減された排気雑音のために前記第１の容積を有意に超える請求項１に記載の機関。
【請求項１４】
前記第２の容積は、前記排気の熱サインを最小化するために前記第１の容積を有意に超える請求項１に記載の機関。
【請求項１５】
前記ローブを密閉するための前記手段は、前記頂部および底部板を係合するための前記ローブに搭載された側方シール（１３２、１３４）と、前記ローブの前記境界面を前記円筒容器に密閉するために前記ローブ先端から延長する先端シール（１０２）とを備える請求項６に記載の機関。
【請求項１６】
前記側方シール（１３２、１３４）の少なくとも１つは、前記ローブの基部の近くから前記ローブの先端へテーパ状に形成されたくさびを備え、前記側方シールの少なくとも１つは、前記ローブ先端に向かって付勢されるように弾性的に搭載される請求項１５に記載の機関。
【請求項１７】
求心負荷に応答して平衡するために、前記側方シールの少なくとも１つに結合される平衡バー（１５６）をさらに備える請求項１６に記載の機関。
【請求項１８】
各ローブの先行表面および後続表面に係合するワイパーシール（１８０）をさらに備え、前記ワイパーシールは、それぞれ前記回転子の上部表面における受けレリーフ（１７８）および前記回転子の下部表面における受けレリーフに搭載されたスロット形成されたボタン（１７６）によって、上部および下部端部に係合される請求項１５に記載の機関。
【請求項１９】
前記ローブのための隣接するスロットに関する前記ワイパーシールボタンレリーフを、前記回転子の上部表面における溝（１８４）内の中間に搭載される円弧シール（１８２）と、前記ローブのための隣接するスロットに関する前記ワイパーシールボタンレリーフを、前記回転子の下部表面における溝内の中間に搭載される円弧シールとをさらに備える請求項１８に記載の機関。
【請求項２０】
前記側方シールは、炭素グラファイト挿入体を用いる請求項１５に記載の機関。
【請求項２１】
内燃機関であって、
回転子（１６）を含む機関容器（１０）と、
旋回腕（４４）によって担持される複数のローブ（３２）であって、各ローブは、前記容器の輪郭形成される壁（６６）との密閉接触を維持するために、スロット（３５）から前記回転子の円筒状表面内に延長可能であり、各旋回腕は、前記回転子内に搭載され、前記ローブから遠位の回転ピンを組み込み、前記回転子の外周に近接し且つ隣接するローブに関して前記スロットに近接する前記回転子によって回転可能に制限され、前記機関容器輪郭は、前記回転子と容器壁との間の第１の正接点から発散する第１の部分（６８）および第１の最大発散部から前記回転子と容器との間の第２の正接点へ収縮する第２の部分（７０）を有し、且つ前記第２の正接点から第２の最大発散部へ発散する第３の部分（７２）および前記第１の正接点へ収束する第４の部分（７４）を有し、
前記第１の正接点および前記輪郭の第１の部分に近接する燃焼空気入口（８０）と、
前記輪郭の前記第４の部分および前記第１の正接点に近接する排気出口（８２）と、
前記ローブを延長し且つ引き込むための手段と、
各２つの隣接するローブ間に担持される前記燃焼空気の燃焼を開始するために、前記第２の正接点を近接する手段とを備える内燃機関。
【請求項２２】
前記容器輪郭の前記第１および第２の部分は、第１の容積を画定し、前記第３および第４の部分は、前記第１の容積に対して非対称である第２の容積を画定する請求項２１に記載の機関。
【請求項２３】
前記機関容器壁の前記輪郭は、排気サイクルと吸気サイクルとの間の容積測定分離器を作るために、前記第１の正接点に近接する前記回転子と実質的に同心であり且つ前記回転子に直接隣接する部分を含む請求項２１に記載の機関。
【請求項２４】
前記機関容器壁の前記輪郭は、完全に燃焼を開始するように最小の容積を形成し且つ最大圧縮時間の時間を延長するために、前記第２の正接点に近接する前記回転子と実質的に同心であり且つ前記回転子に直接隣接する部分を含む請求項２１に記載の機関。